(57)【特許請求の範囲】
【請求項１】
自動販売機の前面に設けられた照明対象物を照明する自動販売機の照明装置において、
前記照明対象物の幅方向に延びる光透過性のユニット本体を有し、ユニット本体内に外部に向かって発光するＬＥＤを設けてなる照明ユニットを備え、
複数の照明ユニットを照明対象物の上方または下方に互いに幅方向に並べて配置するとともに、
互いに隣り合う照明ユニット同士を通電用の配線を介して接続し、そのうちの一つに外部電源からの配線を接続し、
照明対象物の幅方向に並べて配置される複数の照明ユニットのうち、一部の照明ユニットを他の照明ユニットと幅方向の長さが異なるように形成した
ことを特徴とする自動販売機の照明装置。
【請求項２】
前記照明ユニットにユニット本体の上方及び下方に向かってそれぞれ発光するＬＥＤを設けた
ことを特徴とする請求項１記載の自動販売機の照明装置。
【請求項３】
前記照明ユニットを、照明対象物としての商品サンプルが配置される商品サンプル室内に設けた
ことを特徴とする請求項１または２記載の自動販売機の照明装置。
【請求項４】
前記照明ユニットを、照明対象物としての広告パネルが配置される広告表示室内に設けた
ことを特徴とする請求項１または２記載の自動販売機の照明装置。
【請求項５】
請求項１、２、３または４記載の照明装置を備えた
ことを特徴とする自動販売機。
【発明の詳細な説明】
【技術分野】
【０００１】
本発明は、例えば紙パック、缶、ビン、ペットボトル入りの商品を販売する自動販売機の照明装置及びこれを備えた自動販売機に関するものである。
【背景技術】
【０００２】
従来、この種の自動販売機としては、前面を開口した自動販売機本体と、自動販売機本体の前面を開閉する外扉と、外扉の前面に設けられた商品サンプル室とを備え、商品サンプル室内に複数の商品サンプルを上下複数列に配置し、商品サンプル室内を蛍光灯によって照明するようにしたものが知られている。しかしながら、蛍光灯を用いたものでは、寿命に達した蛍光灯を定期的に交換しなければならず、メンテナンスの負担が大きいという問題がある。
【０００３】
そこで、商品サンプル室内の背面側にサンプル台を一体に有する展示装置を設け、展示装置に設けた複数のＬＥＤによってサンプル台の商品サンプルを照明することにより、蛍光灯のように短期間で交換する必要のないＬＥＤを光源として用いるようにした自動販売機が知られている（例えば、特許文献１参照。）。
【特許文献１】特開２００７−７２５５４号公報
【発明の開示】
【発明が解決しようとする課題】
【０００４】
しかしながら、前記自動販売機の展示装置は、商品サンプルやサンプル台を光透過性の背面板に一体に設け、背面板の裏側にＬＥＤを配置したものであるため、蛍光灯を用いた自動販売機のように、商品サンプル室の背面板に取付けたサンプル台の下方に蛍光灯を配置したものとは照明装置の構造が大きく異なる。このため、蛍光灯を用いた既存の自動販売機には商品サンプル室内を大幅に改造しなければ用いることができず、新たに製造する場合にも、蛍光灯を用いた従来の自動販売機の仕様を大幅に変更する必要があった。また、前記自動販売機には、前面の広告表示室内に配置した広告パネルを蛍光灯で照明するようにしたものもあり、この場合も同様、ＬＥＤ照明にするためには自動販売機の仕様を大幅に変更する必要があった。
【０００５】
本発明は前記問題点に鑑みてなされたものであり、その目的とするところは、蛍光灯を用いた従来の自動販売機の仕様を大幅に変更することなくＬＥＤ照明の仕様にすることができ、蛍光灯を用いた既存の自動販売機であっても容易にＬＥＤ照明に変更することのできる自動販売機の照明装置及びこれを備えた自動販売機を提供することにある。
【課題を解決するための手段】
【０００６】
本発明は前記目的を達成するために、自動販売機の前面に設けられた照明対象物を照明する自動販売機の照明装置において、前記照明対象物の幅方向に延びる光透過性のユニット本体を有し、ユニット本体内に外部に向かって発光するＬＥＤを設けてなる照明ユニットを備え、複数の照明ユニットを照明対象物の上方または下方に互いに幅方向に並べて配置するとともに、互いに隣り合う照明ユニット同士を通電用の配線を介して接続し、そのうちの一つに外部電源からの配線を接続し、照明対象物の幅方向に並べて配置される複数の照明ユニットのうち、一部の照明ユニットを他の照明ユニットと幅方向の長さが異なるように形成している。
【０００７】
これにより、外部に向かって発光するＬＥＤを備えた照明ユニットが照明対象物の上方または下方に配置されることから、例えば商品サンプル室内や広告表示室内に蛍光灯が取付けられる仕様の自動販売機であっても、蛍光灯に代えて照明ユニットを取付けることにより、蛍光灯を用いた自動販売機の仕様を大幅に変更することなくＬＥＤ照明の仕様に変更することができる。また、複数の照明ユニットが照明対象物の幅方向に並べて配置されることから、照明ユニットの個数を変えることにより、例えば上下各列の商品サンプルの数が異なる場合や、商品サンプル室または広告表示室の幅寸法が異なる複数種類の自動販売機に対応することが可能となる。この場合、互いに隣り合う照明ユニット同士が通電用の配線を介して接続され、そのうちの一つに外部電源からの配線が接続されることから、外部電源からの配線を各照明ユニットごとに接続する必要がない。また、照明対象物の幅方向に並べて配置される複数の照明ユニットのうち、一部の照明ユニットが他の照明ユニットと幅方向の長さが異なるように形成されていることから、長さの異なる照明ユニットのそれぞれの数の組み合わせを変えることにより、より多くの寸法仕様の自動販売機に対応することができる。
【発明の効果】
【０００８】
本発明によれば、例えば商品サンプル室内や広告表示室内に蛍光灯が取付けられる仕様の自動販売機であっても、蛍光灯に代えて照明ユニットを取付けることにより、蛍光灯を用いた従来の自動販売機の仕様を大幅に変更することなくＬＥＤ照明の仕様に容易に変更することができる。また、既に蛍光灯が取付けられている既存の自動販売機であっても、蛍光灯を照明ユニットに交換すれば、蛍光灯を用いた既存の自動販売機を容易にＬＥＤ照明の自動販売機に変更することができる。従って、蛍光灯のように短期間で交換する必要のないＬＥＤを光源として用いた自動販売機を低コストに構成することができ、メンテナンスの負担を大幅に軽減することができる。また、例えば上下各列の商品サンプルの数が異なる場合や、商品サンプル室または広告表示室の幅寸法が異なる複数種類の自動販売機に対応することができるので、蛍光灯を用いた仕様の自動販売機や既存の自動販売機に用いる場合に極めて有利である。この場合、外部電源からの配線を各照明ユニットごとに接続する必要がないので、配線の簡素化を図ることができる。また、長さの異なる照明ユニットのそれぞれの数の組み合わせを変えることにより、より多くの寸法仕様の自動販売機に対応することができるので、汎用性の向上を図ることができる。
【発明を実施するための最良の形態】
【０００９】
図１乃至図１２は本発明の一実施形態を示すもので、図１は本発明の照明装置が備わる自動販売機の全体斜視図、図２はその要部分解斜視図、図３は照明装置の正面図、図４は照明ユニットの斜視図、図５はその底面図、図６はその側面断面図、図７は端部側ブラケットの斜視図、図８は中央側ブラケットの斜視図、図９は端部側ブラケットへの照明ユニットの取付工程を示す側面図、図１０は照明ユニットが取付けられた中央側ブラケットの側面図、図１１は照明装置の回路構成図、図１２はその使用状態を示す自動販売機の要部側面断面図である。
【００１０】
同図に示す自動販売機は、前面を開口した自動販売機本体１と、自動販売機本体１の前面を開閉する外扉２と、外扉２の前面に設けられた商品サンプル室３と、を備え、商品サンプル室３内には照明対象物としての多数の商品サンプル４が設けられている。また、外扉２の前面には広告表示室５が設けられている。
【００１１】
自動販売機本体１は内部に断熱性の商品収納庫（図示せず）を備え、商品収納庫内にはサーペンタイン式等の商品コラム（図示せず）が設けられている。
【００１２】
外扉２は幅方向一端を自動販売機本体１に回動自在に支持され、その前面には、複数の商品選択スイッチ２ａ、硬貨投入口２ｂ、紙幣投入口２ｃ、金額表示部２ｄ、硬貨返却口２ｅ及び商品取出口２ｆが設けられている。
【００１３】
商品サンプル室３は、商品サンプル室３の前面を覆う透明板３ａと、商品サンプル室３の背面を覆う背面板３ｂと、背面板３ｂに取付けられた上下複数段のサンプル台３ｃとを有し、各サンプル台３ｃには複数の商品サンプル４が上下複数列になるように載置されている。サンプル台３ｃは下面を開口するように断面略コ字状に屈曲した部材からなり、その上面には商品サンプル４を取付けるための取付孔３ｄが設けられている。
【００１４】
商品サンプル４は下面を開口した中空状の光透過性部材からなり、その表面には実物の商品と同様のデザインが施されている。商品サンプル４の下端にはサンプル台３ｃの取付孔３ｄに係合する係合部４ａが設けられ、取付孔３ｄに係合部４ａを係合することにより商品サンプル４がサンプル台３ｃに取付けられるようになっている。
【００１５】
また、商品サンプル室３内には、商品サンプル室３の背面板３ｂ及び商品サンプル４を照明する照明装置が設けられている。
【００１６】
この照明装置は、サンプル台３ｃの下方に配置される複数の照明ユニット１０，２０と、各照明ユニット１０，２０の端部側を支持する端部側ブラケット３０と、各照明ユニット１０，２０の中央側を支持する中央側ブラケット４０とを備え、一部の照明ユニット１０は他の照明ユニット２０よりも幅方向の長さが短くなるように形成されている。尚、各照明ユニット１０，２０は長さ以外の構成が共通するため、以下では長さの短い照明ユニット１０についてのみ説明する。
【００１７】
照明ユニット１０は、商品サンプル室３の幅方向に延びるユニット本体１１と、ユニット本体１１から背面板３ｂに向かって光を照射する複数の第１のＬＥＤ１２と、ユニット本体１１から上方の商品サンプル４に向かって光を照射する複数の第２のＬＥＤ１３と、照明ユニット１０の長手方向両側にそれぞれ設けられた配線接続用のコネクタ１４とを備えている。
【００１８】
ユニット本体１１は横長に形成された中空状の透明部材からなり、サンプル台３ｃの内側に配置可能な大きさに形成されている。ユニット本体１１の上面後端側は上面前端側よりも高くなるように形成されており、上面前端側と上面後端側との間は前方に向かって斜め上方を臨む傾斜部１１ａからなる。ユニット本体１１の下面前端側には外側に向かって凸状をなす曲面部１１ｂが設けられ、曲面部１１ｂは後方に向かって斜め下方を臨むように形成されている。ユニット本体１１の長手方向両端面には、端部側ブラケット３０に係合する前後一対の端部側係合部１１ｃ，１１ｄがそれぞれ設けられ、各端部側係合部１１ｃ，１１ｄは互いに前後方向に間隔をおいて円筒状に突設されている。この場合、前方の端部側係合部１１ｃは上下方向の外径が小さくなるように略半円形状に形成されている。また、ユニット本体１１の前面及び背面には中央側ブラケット４０に係合する中央側係合部１１ｅが設けられ、中央側係合部１１ｅは幅方向に延びる突起からなる。更に、ユニット本体１１の底面には中央側ブラケット４０に係合する前後一対の係合孔１１ｆが設けられ、係合孔１１ｆ及び中央側係合部１１ｅはそれぞれユニット本体１１の長手方向同一位置に配置されている。
【００１９】
各第１のＬＥＤ１２は第１の基板１２ａに実装され、互いにユニット本体１１の幅方向（長手方向）に間隔をおいて配置されている。第１の基板１２ａは第１のＬＥＤ１２が下面側に位置するようにユニット本体１１内の前端下部に配置され、第１のＬＥＤ１２の光がユニット本体１１の曲面部１１ｂを透過し、後方に向かって斜め下方に照射されるようになっている。
【００２０】
各第２のＬＥＤ１３は第２の基板１３ａに実装され、互いにユニット本体１１の幅方向（長手方向）に間隔をおいて配置されている。第２の基板１３ａは第２のＬＥＤ１３が上面側に位置するようにユニット本体１１内の後端上部に配置され、第２のＬＥＤ１３の光がユニット本体１１の傾斜部１１ａを透過し、前方に向かって斜め上方に照射されるようになっている。
【００２１】
各コネクタ１４はユニット本体１１の底面に取付けられ、外部の相手側コネクタが接続されるようになっている。各コネクタ１４は一対の端子を有し、各コネクタ１４の一方の端子間には第１のＬＥＤ１２が互いに直列に接続され、各コネクタ１４の他方の端子間には第２のＬＥＤ１３が互いに直列に接続されている。
【００２２】
端部側ブラケット３０は、ユニット本体１１を支持する支持部３１と、商品サンプル室３の背面板３ｂに固定される取付部３２と、取付部３２から支持部３１の下方まで延びる延出部３３とからなり、支持部３１、取付部３２及び延出部３３はアクリル等の透明部材によって一体に形成されている。支持部３１は前後方向に延びるように形成され、その前端及び後端にはそれぞれユニット本体１１の端部側係合部１１ｃ，１１ｄに係合する前端側係合部３１ａ及び後端側係合部３１ｂが設けられている。前端側係合部３１ａは後方を開放するように湾曲しており、その内側に前方の端部側係合部１１ｃが係合するようになっている。後端側係合部３１ｂは前方を斜め上方に向かって開放するように湾曲しており、その内側に後方の端部側係合部１１ｄが係合するようになっている。また、後端側係合部３１ｂは幅方向二つに分割されており、その上端には後方に向かって斜め上方に延びるガイド片３１ｃが設けられている。取付部３２は延出部３３の後端から幅方向両側に延びるように形成され、その幅方向二箇所に取付用のネジ挿通孔３２ａが設けられている。延出部３３は支持部３１の下面と取付部３２の前面との間に設けられ、その下端は支持部３１の前端側から後端側まで斜め下方に傾斜するとともに、支持部３１の後端側から取付部３２まで水平方向に延びるように形成されている。この場合、延出部３３の下端は傾斜部が曲線状に形成されるとともに、角部を有しないように曲線状に面取りされている。
【００２３】
中央側ブラケット４０は、ユニット本体１１を支持する支持部４１と、商品サンプル室３の背面板３ｂに固定される取付部４２と、取付部４２から支持部４１の下方まで延びる延出部４３とからなり、支持部４１、取付部４２及び延出部４３はアクリル等の透明部材によって一体に形成されている。支持部４１は前後方向に延びるように形成され、その前端及び後端にはそれぞれユニット本体１１の前面及び背面に沿って上方に延びる前壁部４１ａ及び後壁部４１ｂが設けられている。また、前壁部４１ａの背面及び後壁部４１ｂの前面には、それぞれユニット本体１１の中央側係合部１１ｅに係合する溝部４１ｃが幅方向に延びるように設けられている。更に、支持部４１の底面にはユニット本体１１の各係合孔１１ｆに係合する前後一対の突部４１ｄが上方に突出するように設けられている。取付部４２は延出部４３の後端から幅方向両側に延びるように形成され、その幅方向二箇所に取付用のネジ挿通孔４２ａが設けられている。延出部４３は支持部４１の下面と取付部４２の前面との間に設けられ、その下端は支持部４１の前端側から後端側まで斜め下方に傾斜するとともに、支持部４１の後端側から取付部４２まで水平方向に延びるように形成されている。この場合、延出部４３の下端は傾斜部が曲線状に形成されるとともに、角部を有しないように曲線状に面取りされている。
【００２４】
前記照明ユニット１０を端部側ブラケット３０に取付ける場合には、図９(a) に示すようにユニット本体１１を斜め下方に向けながら前方の端部側係合部１１ｃを端部側ブラケット３０の前端側係合部３１ａに後方から係合する。次に、図９(b) に示すように前端側係合部３１ａに係合した端部側係合部１１ｃを中心にユニット本体１１を下方に回動し、図９(c) に示すように後方の端部側係合部１１ｄを端部側ブラケット３０の後端側係合部３１ｂに係合することにより、照明ユニット１０の長手方向両端側が端部側ブラケット３０によって支持される。ここで、後方の端部側係合部１１ｄを後端側係合部３１ｂに係合する際、端部側係合部１１ｄの位置が多少後方にずれていた場合でも、端部側係合部１１ｄが端部側ブラケット３０のガイド片３１ｃによって後端側係合部３１ｂ側に案内され、後端側係合部３１ｂに係合する。また、前述のように照明ユニット１０の幅方向両側の端部側係合部１１ｃ，１１ｄを端部側ブラケット３０に係合すると、図１０に示すように中央側ブラケット４０の各突部４１ｄがユニット本体１１の係合孔１１ｆに挿入されるとともに、中央側ブラケット４０の各溝部４１ｃが各中央側係合部１１ｅに係合し、照明ユニット１０の長手方向中央側が中央側ブラケット４０によって支持される。
【００２５】
以上のように構成された照明装置においては、照明ユニット１０，２０が各ブラケット３０，４０を介して商品サンプル室３の背面板３ｂに取付けられる。例えば、図３に示すように幅方向に短い一つの照明ユニット１０と幅方向に長い一つの照明ユニット２０が互いに商品サンプル室３の幅方向に並ぶようにサンプル台３ｃの下方に配置される。この場合、図１３に示すようにサンプル台３ｃの下方に蛍光灯Ａが取付けられる仕様の自動販売機であっても、蛍光灯Ａに代えて照明ユニット１０，２０を取付けることにより、ＬＥＤ照明の仕様に変更することが可能となる。
【００２６】
また、前記照明装置では、図３に示すように商品サンプル室３の幅方向一端側に配置された照明ユニット２０の幅方向一端側のコネクタ２４に外部の電源５０からの配線５１が接続され、その幅方向他端側のコネクタ２４と商品サンプル室３の幅方向他端側に配置された照明ユニット１０の幅方向一端側のコネクタ１４とが通電用の配線５２を介して互いに接続される。また、照明ユニット１０の幅方向他端側のコネクタ１４には短絡用の配線５３が接続される。これにより、図１１に示すように各照明ユニット１０，２０の第１のＬＥＤ１２，２２及び第２のＬＥＤ１３，２３が電源５０に直列に接続される。
【００２７】
次に、前記照明装置を点灯すると、照明ユニット１０では、第１及び第２のＬＥＤ１２，１３の光がユニット本体１１から外部に照射される。これにより、図１２に示すように第１のＬＥＤ１２の光によって下方の商品サンプル４の上部及び背面板３ｂが照明される。また、第２のＬＥＤ１２の光はサンプル台３ｃの取付孔３ｄを介して商品サンプル４の内面に照射され、商品サンプル４自体が光るように照明される。尚、他の照明ユニット２０においても同様に照明される。
【００２８】
このように、本実施形態によれば、外部に向かって発光する第１及び第２のＬＥＤ１２（２２），１３（２３）を備えた照明ユニット１０，２０を商品サンプル４の下方に取付可能に構成したので、サンプル台３ｃの下方に蛍光灯Ａが取付けられる仕様の自動販売機であっても、蛍光灯Ａに代えて照明ユニット１０，２０を取付けることにより、蛍光灯Ａを用いた従来の自動販売機の仕様を大幅に変更することなくＬＥＤ照明の仕様に容易に変更することができる。また、既に蛍光灯Ａが取付けられている既存の自動販売機であっても、蛍光灯Ａを照明ユニット１０，２０に交換すれば、蛍光灯Ａを用いた既存の自動販売機を容易にＬＥＤ照明の自動販売機に変更することができる。従って、蛍光灯のように短期間で交換する必要のないＬＥＤを光源として用いた自動販売機を低コストに構成することができ、メンテナンスの負担を大幅に軽減することができる。
【００２９】
また、複数の照明ユニット１０，２０を商品サンプル室３の幅方向に並べて配置するようにしたので、照明ユニット１０，２０の個数を変えることにより、上下各列の商品サンプル４の数が異なる場合や、商品サンプル室３の幅寸法が異なる複数種類の自動販売機に対応することができ、蛍光灯を用いた仕様の自動販売機や既存の自動販売機に用いる場合に極めて有利である。この場合、互いに隣り合う照明ユニット１０，２０同士を通電用の配線５２を介して接続し、そのうちの一つの照明ユニット２０に外部電源５０からの配線５１を接続するようにしたので、外部電源５０からの配線５１を各照明ユニット１０，２０ごとに接続する必要がなく、配線の簡素化を図ることができる。
【００３０】
更に、商品サンプル室３の幅方向に並べて配置される複数の照明ユニット１０，２０のうち、一部の照明ユニット１０を他の照明ユニット２０と幅方向の長さが異なるように形成したので、長さの異なる照明ユニット１０，２０のそれぞれの数の組み合わせを変えることにより、より多くの寸法仕様の自動販売機に対応することができ、汎用性の向上を図ることができる。
【００３１】
また、照明ユニット１０に下方及び上方に向かってそれぞれ発光する第１及び第２のＬＥＤ１２，１３を設けたので、下方の商品サンプル４及び上方の商品サンプル４を同時に照明することができ、商品サンプル室３内の商品サンプル４を効率よく照明することができる。
【００３２】
尚、前記実施形態では、長さの異なる照明ユニット１０，２０を互いに並べて配置したものを示したが、同一長さの照明ユニット１０（２０）のみを並べて配置するようにしてもよい。また、前記実施形態では、照明ユニット１０に第１及び第２のＬＥＤ１２，１３をそれぞれ設けたものを示したが、照明ユニット１０を最上列の商品サンプル４の上方に配置する場合は、下方を照明する第１のＬＥＤ１２のみを備えていればよく、照明ユニット１０を最下列の商品サンプル４の下方に配置する場合は、上方を照明する第２のＬＥＤ１３のみを備えていればよい。
【００３３】
図１４は本発明の他の実施形態を示すもので、前記照明装置を広告表示室５内に設けた要部側面断面図である。
【００３４】
広告表示室５は、広告表示室５の前面を覆う透明板５ａと、広告表示室５の背面を覆う背面板５ｂとを有し、広告表示室５内には前面に商品の宣伝広告を表示した照明対象物としての表示パネル６が前面をやや上方に臨ませるように傾斜して設けられている。
【００３５】
本実施形態の照明装置は、照明ユニット１０を広告表示室５内の上部に配置しており、照明ユニット１０から下方に照射される光によって表示パネル６を照明するようになっている。この場合、照明ユニット１０には、下方に向かって発光するＬＥＤ１２のみが設けられている。また、照明ユニット１０は、前記実施形態と同様の端部側ブラケット３０及び中央側ブラケット４０によって背面板５ｂに取付けられ、幅方向の長さの異なる他の照明ユニット２０と組合わせることも可能である。
【００３６】
本実施形態によれば、前記実施形態と同様、蛍光灯が取付けられる仕様の自動販売機であっても、蛍光灯に代えて照明ユニット１０を取付けることにより、蛍光灯を用いた従来の自動販売機の仕様を大幅に変更することなく広告表示室５内の照明をＬＥＤに容易に変更することができる。
【図面の簡単な説明】
【００３７】
【図１】本発明の一実施形態に係る照明装置を備えた自動販売機の全体斜視図
【図２】自動販売機の要部分解斜視図
【図３】照明装置の正面図
【図４】照明ユニットの斜視図
【図５】照明ユニットの底面図
【図６】照明ユニットの側面断面図
【図７】端部側ブラケットの斜視図
【図８】中央側ブラケットの斜視図
【図９】端部側ブラケットへの照明ユニットの取付工程を示す側面図
【図１０】照明ユニットが取付けられた中央側ブラケットの側面図
【図１１】照明装置の回路構成図
【図１２】照明装置の使用状態を示す自動販売機の要部側面断面図
【図１３】蛍光灯を用いた従来の仕様を示す自動販売機の要部側面断面図
【図１４】本発明の他の実施形態に係る照明装置を備えた自動販売機の要部側面断面図
【符号の説明】
【００３８】
３…商品サンプル室、３ｂ…背面板、５…広告表示室。６…広告パネル、１０…照明ユニット、１１…ユニット本体、１２…第１のＬＥＤ、１３…第２のＬＥＤ、２０…照明ユニット、２２…第１のＬＥＤ、２３…第２のＬＥＤ、５０…電源、５１，５２…配線。
【図１】
0005226346.tif 000002
【図２】
0005226346.tif 000003
【図３】
0005226346.tif 000004
【図４】
0005226346.tif 000005
【図５】
0005226346.tif 000006
【図６】
0005226346.tif 000007
【図７】
0005226346.tif 000008
【図８】
0005226346.tif 000009
【図９】
0005226346.tif 000010
【図１０】
0005226346.tif 000011
【図１１】
0005226346.tif 000012
【図１２】
0005226346.tif 000013
【図１３】
0005226346.tif 000014
【図１４】
0005226346.tif 000015